(57)【要約】【課題】簡単な操作によって、電源をオンしてハードディスクの初期化が終了したときに確実に再生、録画等の動作を実行する。【解決手段】電源オフの状態において、操作キーからの入力があると、通常とは異なる特殊操作か判断する。特殊操作であると、この操作を有効なものとし、電源をオンして、ハードディスクの初期化を行う。特殊操作による操作信号を一時的に記憶する。初期化が終了すると、特殊操作に応じた再生、録画等の動作を自動的に開始する。【選択図】  図２
2004281006.tif 000002
【特許請求の範囲】
【請求項１】
データを記録する記録媒体と、操作部からの入力操作に基づいてデータの記録再生を行う制御部とを備え、該制御部は、電源オフ時に前記操作部による通常とは異なる特殊操作が行われたとき電源をオンして、前記記録媒体の初期化を実行する起動手段と、初期化が終了すると前記特殊操作に対応する動作を開始する動作手段とを有することを特徴とする記録再生装置。
【請求項２】
データを記録する記録媒体と、該記録媒体の駆動制御を行うサブ制御部と、操作部からの入力操作に基づいて前記サブ制御部を制御してデータの記録再生を行う制御部とを備え、該制御部は、電源オフ時に前記操作部からの通常とは異なる特殊操作による操作信号を受け付ける入力手段と、前記操作信号を受け付けたとき電源をオンして、前記記録媒体の初期化を実行させる起動手段と、前記操作信号を一時的に記憶する記憶手段と、初期化が終了すると前記操作信号に基づく動作を開始する動作手段とを有し、前記サブ制御部は、前記起動手段からの指示によって前記記録媒体の初期化を行う初期化手段を有することを特徴とする記録再生装置。
【請求項３】
電源オン時に初期化が必要な記録媒体の他に、着脱可能な第２の記録媒体が設けられ、動作手段は、初期化が終了すると、前記第２の記録媒体の有無に応じていずれかの記録媒体に対して特殊操作に対応する動作を開始することを特徴とする請求項１または２記載の記録再生装置。
【請求項４】
動作手段は、入力されたデータの記録、あるいは記録されているデータの再生を行うことを特徴とする請求項１、２または３記載の記録再生装置。
【請求項５】
データを記録するとき、動作手段は、前回記録したときの記録モードあるいは予め設定された記録モードにより記録することを特徴とする請求項４記載の記録再生装置。
【請求項６】
制御部は、記録中に操作部からの入力操作により停止時間を設定する記録停止手段を備えたことを特徴とする請求項４または５記載の記録再生装置。
【発明の詳細な説明】
【０００１】
【発明の属する技術分野】
本発明は、ハードディスク等の初期化が必要な記録媒体を使用した記録再生装置に関する。
【０００２】
【従来の技術】
ハードディスクを使用した記録再生装置として、例えば映像データをハードディスクに記録する記録再生装置がある。この記録再生装置において、記録や再生のためのＩＣ、チューナ、ハードディスクを駆動制御するサブ制御部等の被制御機器は、制御部によって操作部から入力された操作内容に基づいて映像の録画あるいは再生を行うように駆動制御される。
【０００３】
そして、電源オン時に、制御部は、各ＩＣやチューナ等の被制御機器およびハードディスクの初期化を行い、装置全体が正常に動作するような初期化処理を行う。各ＩＣやチューナにおいては、不正終了、誤動作等によって生じた設定値の変動等がリセットされ、初期状態に復帰する。ハードディスクにおいては、スキャンディスクが行われる。すなわち、映像データとこのデータを管理するための管理情報との整合性がチェックされ、整合が取れていないとき、自動的に修正したり、データが壊れていることを警告したりして、データが正しく保存されていることを確認する。
【０００４】
上記の初期化処理の手順を説明する。図４に示すように、記録再生装置の電源キーを操作して、電源をオンする。この起動時に、まずメインマイコンからなる制御部に接続された各ＩＣ、チューナ等の被制御機器の初期化を行う。その後、サブマイコンからなるサブ制御部に接続されたＩＣ等の被制御機器を初期化する。この間、制御部は、サブ制御部に初期化終了したかの確認コマンドを送信する。サブ制御部は、ＩＣ等の初期化が終了したことを制御部に通知する。各ＩＣ等の初期化終了後、制御部は、サブ制御部にハードディスクの初期化を実行するように命令する。サブ制御部によってハードディスクの初期化が行われる。初期化が終了すると、サブ制御部は、初期化が終了したことを制御部に通知する。
【０００５】
初期化処理中、誤動作を防ぐため、制御部は、操作部から入力された操作を受け付けないよう、キー操作によって入力された操作を無効にする。この入力された操作の無効をインターロックと称する。ハードディスクの初期化が終了すると、制御部は、インターロックを解除して、入力される操作を受け付ける。通常の電源オン状態になり、入力された操作に応じた録画、再生等の動作が実行される。
【０００６】
電源をオンしてから初期化が終了するまで数十秒要する。この間、キー操作は受け付けられない。その結果、ユーザの操作が受け付けられるようになるまで、無駄な時間が費やされる。
【０００７】
このような操作不可能な状態を減らすために、特許文献１では、ハードディスクのテンポラリデータを格納する第１の領域の初期化が終了すると、恒久保存データを格納する第２の領域の初期化完了の有無にかかわらず、第１の領域のみを使用する操作の受付を可能にしている。
【０００８】
【特許文献１】
特開２００１−２７７６０３号公報（段落００５３）
【０００９】
【発明が解決しようとする課題】
特許文献１では、ハードディスクの使用領域のうち一部の初期化が終了した時点で、一部の操作を可能にしているが、全ての初期化は終わっていない。そのため、ハードディスクに恒久的に保存したデータをすぐに再生するといった処理を行う必要性がある記録再生装置においては、操作可能となるまでユーザを待たすといった問題は解決されていない。
【００１０】
この問題を解決するために、本出願人は、特願２００２−３５４９９９号において、電源オン後の初期化中に入力された操作を記憶して、初期化終了後、記憶された操作に対応した動作を実行することを提案した。
【００１１】
しかし、電源キーをオンしてから、他の操作キーを操作しなければならず、操作が煩雑である。また、操作キーの操作タイミングが早すぎて、制御部が立ち上がる前に操作されると、制御部がその操作を認識することができず、所望の動作が実行されないおそれがある。
【００１２】
本発明は、上記に鑑み、電源をオンしてハードディスクの初期化が終了したときに確実に動作が実行されるように、より簡単に操作できる記録再生装置を提供することを目的とする。
【００１３】
【課題を解決するための手段】
本発明による課題解決手段は、データを記録する記録媒体と、操作部からの入力操作に基づいてデータの記録再生を行う制御部とを備え、該制御部は、電源オフ時に前記操作部による通常とは異なる特殊操作が行われたとき電源をオンして、前記記録媒体の初期化を実行する起動手段と、初期化が終了すると前記特殊操作に対応する動作を開始する動作手段とを有するものである。
【００１４】
また、記録媒体の駆動制御を行うサブ制御部を備えている場合には、制御部は、操作部からの入力操作に基づいて前記サブ制御部を制御してデータの記録再生を行うとともに、電源オフ時に前記操作部からの通常とは異なる特殊操作による操作信号を受け付ける入力手段と、前記操作信号を受け付けたとき電源をオンして、前記記録媒体の初期化を実行させる起動手段と、前記操作信号を一時的に記憶する記憶手段と、初期化が終了すると前記操作信号に基づく動作を開始する動作手段とを有する。サブ制御部は、起動手段からの指示によって記録媒体の初期化を行う。
【００１５】
ここで、特殊操作とは、操作キーの長押し、複数の操作キーの同時押しあるいは多重押しである。特殊操作は、電源をオンするための電源キーと同じ機能を有するとともに、再生、記録、早送り、早戻しといった動作を実行するための指令である。通常の操作、例えば操作キーを１回押すといった操作により、電源をオンすると、間違って操作キーが押された場合に電源が不用意にオンしてしまい、誤動作の原因となる。そこで、特殊操作された場合にのみ、入力操作を有効にすれば、上記の誤動作を防止できる。しかも、この特殊操作を行うだけでよいので、操作が煩雑にならず、確実に所望の動作を自動的に実行できる。
【００１６】
そして、電源オン時に初期化が必要な記録媒体の他に、着脱可能な第２の記録媒体が設けられているとき、動作手段は、初期化が終了すると、前記第２の記録媒体の有無に応じていずれかの記録媒体に対して特殊操作に対応する動作を開始する。これによれば、記録する場合には、必ずいずれか一方に記録することができる。急に記録しなければならない事態が発生しても、記録できないといったミスをなくせる。
【００１７】
【発明の実施の形態】
本発明の一実施形態の記録再生装置を図１に示す。本記録再生装置は、ビデオデッキと、ランダムアクセス可能な記録媒体としてハードディスク１を用いたハードディスクブロックとからなる複合機器である。この記録再生装置は、公知の構成であり、ビデオデッキにおける映像データの処理を行う表示用ＩＣ、Ｈｉ−Ｆｉ  ＩＣ、ステレオＩＣ、チューナ等の被制御機器２およびこれらを駆動制御する制御部３と、ハードディスクブロックにおけるアナログの映像データをデジタルの映像データに変換して、ハードディスク１への記録、ハードディスク１からの再生を行うエンコーダ、デコーダ等の被制御機器４およびこれらを駆動制御するサブ制御部５と、リモコンあるいは本体操作パネルからなる操作部６とを備えている。メインマイコンからなる制御部３とサブマイコンからなるサブ制御部５との間でデータ通信が行われ、操作部６から入力された操作内容に基づいて制御部３はサブ制御部５を制御する。
【００１８】
制御部３は、電源オンされたときあるいはリセットされたときの起動時に被制御機器２、４やハードディスク１の初期化処理を行う。初期化処理については、従来の技術に記したものと同じである。また、被制御機器２、４の初期化後におけるハードディスク１の初期化中はインターロックをして、操作部６からの操作を受け付けない。初期化が終了すると、インターロックを解除して、操作部６からの操作を可能としている。
【００１９】
ここで、制御部３は、電源オフ時に操作部６の通常とは異なる特殊操作による操作信号を受け付ける入力手段と、操作信号を受け付けたとき電源をオンして、サブ制御部５を通じてハードディスク１の初期化を実行させる起動手段と、操作信号を一時的に記憶する記憶手段と、初期化中、操作部６から入力される操作を無効にするロック手段と、サブ制御部５に対して初期化の進行状況を確認する確認手段と、サブ制御部５からの応答によって初期化の終了を確認したとき、操作を受け付けるロック解除手段と、初期化が終了すると特殊操作の操作信号に基づく動作を開始する動作手段とを有する。
【００２０】
サブ制御部５は、起動時に制御部３からの指示にしたがってハードディスク１の初期化を行う初期化手段と、制御部３からの確認があったとき初期化の進行状況を検知する検知手段と、検知結果を制御部３に送信する報告手段とを有する。
【００２１】
制御部３の確認手段では、初期化終了確認コマンドをサブ制御部５に一定時間毎に送信する。サブ制御部５の検知手段では、制御部３からの初期化終了確認コマンドを受信すると、ハードディスク１の初期化が終了したかチェックする。そして、報告手段によって、終了した、あるいは終了していないといった応答コマンドを制御部３に送信する。なお、初期化終了確認コマンドを送信する間隔は、任意に設定可能とされる。間隔を短くするほど、初期化終了を検知するまでのタイムラグを短くでき、インターロックをすばやく解除できる。
【００２２】
起動手段では、特殊操作されたときに発生する操作信号を検出すると、これを有効な操作と判断して、電源をオンする。そして、被制御機器２、４やハードディスク１の初期化を開始させる。記憶手段では、特殊操作による操作信号を制御部３のＲＡＭあるいは専用のメモリに記憶しておく。
【００２３】
このように、電源キー以外にも各操作キーに電源をオンできる権限が割り当てられる。ただし、誤動作防止のため、通常の操作、すなわち操作キーの短時間の１回押しによって電源がオンされないように、通常とは異なる操作がなされたときにのみ、その権限が有効とされる。そのため、入力手段では、電源がオフであっても特殊操作による操作信号を受け付け、操作キーの通常の操作による操作信号を受け付けない。なお、特殊操作とは、操作部６において、操作キーの長押し、複数の操作キーの同時押し、リモコンの操作キーと本体操作パネルの操作キーとを同時に押す多重押しである。
【００２４】
動作手段では、操作信号を解析して、操作キーの特殊操作に応じて指定された再生、録画、早送り、早戻し等の動作を実行するように、被制御機器２やサブ制御部５に指示を行う。
【００２５】
次に、電源をオンするときの動作を図２に基づいて説明する。電源がオフのときに、操作部６から入力があると、制御部３は、この入力が電源キーによるものか判断する。電源キーであれば、電源をオンして、初期化処理を行う。電源キーでない場合、操作キーの特殊操作によるものか判断する。特殊操作でなければ、そのキー操作は無効とされる。
【００２６】
特殊操作であれば、有効な操作であるので、電源がオンされ、初期化処理が行われる。このとき、特殊操作による操作信号が記憶される。制御部３は、ハードディスク１の初期化が終了したことを確認すると、インターロックを解除するとともに、操作信号に基づく動作を開始する。
【００２７】
特殊操作として、再生キーが長押しされた場合、自動的にハードディスク１に記録されている映像データを再生する。このとき、前回再生されたファイルのデータが再生される。録画キーが長押しされた場合、入力された映像データがハードディスク１に自動的に記録される。このとき、前回録画されたチャンネルの映像が録画される。数値キーが長押しされた場合、押された数値のチャンネルが選局され、入力された映像データがハードディスク１に自動的に記録される。多重押しあるいは同時押しの場合、例えば複数の数値キーを押すと、チャンネルの選局、録画時間の設定が行われ、これに従って録画される。また、数値キーの長押しにおいて、その押す時間の長短に応じて実行される動作を選択することも可能である。すなわち、数値キーが２秒以上押されたときには、チャンネルの選局、録画を行い、数値キーが約１秒押されたときには、選局されたチャンネルの映像を映し出す。
【００２８】
自動的に録画を行う場合、その録画モードは、前回録画されたときの最終モードと同じとされる。この自動録画モードを予め設定するようにしてもよい。図３に示すメニュ画面においてモード設定を行うと、次回から自動的に録画を行うときには、設定された録画モードが実行される。
【００２９】
そして、自動的に録画が開始された後、停止キーが操作されたとき、録画が停止する。このように手動で録画を停止させなければならない。そこで、この自動録画が一定時間だけ行われるように、標準の録画時間を決めておくとよい。一定時間経過すると、自動的に録画が停止する。したがって、止め忘れをなくすことができる。あるいは、制御部３は、録画中の入力操作に応じて停止時間を設定して、録画の停止を行うようにする。すなわち、録画中に録画キーが１回操作されたとき、ワンタッチ録画モードが実行される。ワンタッチ録画モードでは、録画キーの操作回数に応じて３０分、１時間、２時間と録画時間が設定できる。録画キーの操作回数がカウントされ、そのカウント数に応じた録画時間が設定されるので、所望の時間だけ録画を行える。なお、停止させたい時刻を直接入力して、設定してもよい。その時刻になれば、録画は自動的に停止する。
【００３０】
ところで、本記録再生装置は、記録媒体としてビデオテープとハードディスク１の２つを使用できる。ビデオテープは着脱自在であるので、その有無に応じて動作の対象となる記録媒体を選択するようにしてもよい。すなわち、制御部３は、ビデオテープの有無を検出して、初期化が終了すると、いずれかの記録媒体に対して動作を開始する。ビデオテープが装着されていないとき、ハードディスク１に対して再生、記録を行う。ビデオテープが装着されているとき、ビデオテープに対して再生、記録を行う。なお、ビデオテープが装着されていても、ハードディスク１に対する動作を優先させてもよい。
【００３１】
上記実施形態の記録再生装置は、ハードディスク１とビデオの複合機器であったが、ハードディスク１の単独機器にも適用できる。この場合、サブ制御部はなく、制御部３は、電源オフ時に操作部による通常とは異なる特殊操作が行われたとき電源をオンして、ハードディスク１の初期化を実行する起動手段と、初期化が終了すると前記特殊操作に対応する動作を開始する動作手段とを有する。なお、特殊操作に対する動作および初期化の手順は、上記と同様である。
【００３２】
なお、本発明は、上記実施形態に限定されるものではなく、本発明の範囲内で上記実施形態に多くの修正および変更を加え得ることは勿論である。初期化処理が必要な記録媒体としては、ハードディスク以外にＤＶＤ、ＣＤ、半導体メモリ等のランダムアクセス可能なものであればよい。記録再生装置は、これらの記録媒体を複数種類搭載してもよい。
【００３３】
特殊操作により自動的に動作を開始させる機能を有効にするか無効にするかを選択できるようにしてもよい。無効にしておけば、操作キーに物が当たって、長押し状態になったとき、電源がオンして動作が開始するといった誤動作を防げる。この有効、無効の選択をリモコンにおいて選択できるようにすれば、電源のオンオフに関係なく簡単に切り替えることができる。
【００３４】
【発明の効果】
以上の説明から明らかな通り、本発明によると、電源オフの状態において、再生、録画といった動作を実行するように特殊操作することにより、電源がオンされ、自動的に初期化が行われて、所望の動作を開始させることができる。したがって、電源キーを操作してから操作キーを操作するという手間を省くことができ、電源オンしたときの立ち上がり時における操作タイミングを気にしなくても、確実に動作を実行できる。また、初期化中のインターロックに関係なく、初期化が終了するとすぐに動作が開始されるので、電源オンしてから動作開始までの時間を短縮できる。
【図面の簡単な説明】
【図１】本発明の一実施形態の記録再生装置の概略ブロック図
【図２】電源オンしたときのフローチャート
【図３】録画モード設定用画面を示す図
【図４】従来の電源オンしたときのフローチャート
【符号の説明】
１    ハードディスク
２、４    被制御機器
３    制御部
５    サブ制御部
６    操作部
【図１】
2004281006.tif 000003
【図２】
2004281006.tif 000004
【図３】
2004281006.tif 000005
【図４】
2004281006.tif 000006
【手続補正書】
【提出日】平成15年3月25日(2003.3.25)
【手続補正１】
【補正対象書類名】図面
【補正対象項目名】図１
【補正方法】変更
【補正の内容】
【図１】
2004281006.tif 000007